(57)【要約】【課題】多様な柄の織物風組織を備えながらも軽くて薄い編地を編成する編地の編成方法を提供する。【解決手段】グランド編地部１を編成する途中または前に、複数の縦インレイ編目２１〜２６を有するサブ編地部２を編成する工程Ａと、グランド編地部１を構成する複数段の編成コース１Ａ〜１Ｊを編成する工程Ｂと、縦インレイ編目２１〜２６を、編成コース１Ｊの編目に接合する工程Ｃと、を備える。工程Ａでは、縦インレイ編目２１〜２６以外の編目を端部処理することで縦インレイ編目２１〜２６のみが針床に係止された状態とする。工程Ｂでは、グランド編地部１の編成範囲内で縦インレイ編目２１〜２６を一方の針床ＦＢの空針と他方の針床ＢＢの空針に振り分けながら編成コース１Ａ〜１Ｊの数を増加させる。【選択図】図４
2017020131.tif 000002
【特許請求の範囲】
【請求項１】
少なくとも前後に対向する一方の針床と他方の針床を備える横編機を用いて、第一編糸で編成されるグランド編地部と、第二編糸と、を組み合わせた編地を編成する編地の編成方法において、
前記グランド編地部を編成する途中または前に、前記第二編糸を用いて、後工程で前記第一編糸と交差させることで前記グランド編地部に組み合わされる複数の縦インレイ編目を有するサブ編地部を編成する工程Ａと、
前記工程Ａの後に、前記第一編糸を用いて、前記グランド編地部を構成する複数段の編成コースを編成する工程Ｂと、
前記工程Ｂの後に、前記縦インレイ編目を、前記編成コースの編目に接合する工程Ｃと、を備え、
前記工程Ａでは、前記サブ編地部を編出した後、前記縦インレイ編目を編成すると共に、前記縦インレイ編目以外の編目を端部処理することで前記縦インレイ編目のみが針床に係止された状態とし、
前記工程Ｂでは、前記グランド編地部の編成範囲内で前記縦インレイ編目を前記一方の針床の空針と前記他方の針床の空針に振り分けながら前記編成コースの数を増加させる編地の編成方法。
【請求項２】
一部の前記縦インレイ編目を、他の前記縦インレイ編目を編成する前記第二編糸とは異なる前記第二編糸で編成する請求項１に記載の編地の編成方法。
【請求項３】
前記工程Ｂにおいて、前記針床の長手方向における前記縦インレイ編目が係止される位置を変化させながら、前記編成コースの数を増加させる請求項１または請求項２に記載の編地の編成方法。
【請求項４】
第一編糸で編成されたグランド編地部と、第二編糸と、を組み合わせた編地において、
前記第二編糸を用いて前記グランド編地部とは別に編み出されたベース部と、前記ベース部の編目から引き出される縦インレイ編目と、を有し、前記縦インレイ編目が前記第一編糸に交差されることで、前記グランド編地部の厚み方向に重複した状態で前記グランド編地部に組み合わされるサブ編地部を備え、
前記縦インレイ編目は、前記グランド編地部のウエール方向に並ぶ複数段の編成コースに跨がる長さを有し、
前記縦インレイ編目の先端は、前記ベース部からウエール方向に離隔する前記編成コースの編目に編成で固定され、前記先端を除く中間部は、異なる編成コースのシンカーループによって表裏から挟み込まれている編地。
【発明の詳細な説明】
【技術分野】
【０００１】
本発明は、第一編糸で編成されるグランド編地部と、第二編糸と、を組み合わせた編地を編成する編地の編成方法、およびその編地の編成方法によって得られた編地に関する。
【背景技術】
【０００２】
横編機を用いて、第一編糸で構成されるグランド編地部に、第二編糸（例えば、第一編糸とは色が異なる編糸）で柄を形成することが行なわれている。例えば、特許文献１には、グランド編地部の編幅方向に並ぶ編目の間を縫うように配置されるインレイ線材を備える編地と、その編成方法が開示されている。インレイ線材は、グランド編地部を構成する編目を前針床と後針床に振り分けた状態で、グランド編地部の編成に使用する給糸口とは異なる給糸口から給糸される。このようにして給糸されたインレイ線材は、前針床と後針床に振り分けられた編目の間に挟み込まれ、グランド編地部を縫うように配置される。
【０００３】
また、特許文献２には、グランド編地部と別のグランド編地部とを繋ぐ縦糸柄部を形成し、その縦糸柄部を構成する縦糸の間を縫うように横糸を配置した編地と、その編成方法が開示されている。この特許文献２の編成方法でも、縦糸柄部を構成する縦糸を前針床と後針床に振り分けた状態で、縦糸の編成に使用する給糸口とは異なる給糸口から横糸を給糸する。
【先行技術文献】
【特許文献】
【０００４】
【特許文献１】特開２００７−２７７７３８号公報
【特許文献２】国際公開第２００８／１３６１８５号
【発明の概要】
【発明が解決しようとする課題】
【０００５】
近年では、消費者のニーズの多様化に伴い、新規な柄を形成することができる編地の編成方法の開発が望まれている。例えば織物風の編地を編成する場合、編地の編幅方向に編糸を挟み込む特許文献１，２の編成方法では、比較的単純な柄を編成することはできても、ジャカード編成のように複雑な柄を編成することは難しい。一方、ジャカード編成で編成された編地は、編地表面がフラットで立体感がなく、使用する色数に応じて編地が厚く、重くなってしまう。
【０００６】
本発明は、上記事情に鑑みてなされたものであり、その目的の一つは、多様な柄の織物風組織を備えながらも軽くて薄い編地を編成する編地の編成方法、およびその編地の編成方法で編成された編地を提供することにある。
【課題を解決するための手段】
【０００７】
本発明の編地の編成方法は、少なくとも前後に対向する一方の針床と他方の針床を備える横編機を用いて、第一編糸で編成されるグランド編地部と、第二編糸と、を組み合わせた編地を編成する編地の編成方法であって、下記工程Ａ〜工程Ｃを備える。
［工程Ａ］…前記グランド編地部を編成する途中または前に、前記第二編糸を用いて、後工程で前記第一編糸と交差させることで前記グランド編地部に組み合わされる複数の縦インレイ編目を有するサブ編地部を編成する。この工程Ａでは、前記サブ編地部を編出した後、前記縦インレイ編目を編成すると共に、前記縦インレイ編目以外の編目を端部処理することで前記縦インレイ編目のみが針床に係止された状態とする。ここで、端部処理とは、編目が解れない状態とする処理のことで、結果的には処理された編目は針床から外される。端部処理は、代表的には伏目処理であるが、編目を隣接する編目に寄せて重ねる処理であっても良い。
［工程Ｂ］…前記工程Ａの後に、前記第一編糸を用いて、前記グランド編地部を構成する複数段の編成コースを編成する。この工程Ｂでは、前記グランド編地部の編成範囲内で前記縦インレイ編目を前記一方の針床の空針と前記他方の針床の空針に振り分けながら前記編成コースの数を増加させる。
［工程Ｃ］…前記工程Ｂの後に、前記縦インレイ編目を、前記編成コースの編目に接合する。
【０００８】
本発明の編地の編成方法の一形態として、一部の前記縦インレイ編目を、他の前記縦インレイ編目を編成する前記第二編糸とは異なる前記第二編糸で編成する形態を挙げることができる。
【０００９】
本発明の編地の編成方法の一形態として、前記工程Ｂにおいて、前記針床の長手方向における前記縦インレイ編目が係止される位置を変化させながら、前記編成コースの数を増加させる形態を挙げることができる。
【００１０】
本発明の編地は、第一編糸で編成されたグランド編地部と、第二編糸と、を組み合わせた編地であって、前記第二編糸を用いて前記グランド編地部とは別に編み出されたベース部と、前記ベース部の編目から引き出される縦インレイ編目と、を有し、前記縦インレイ編目が前記第一編糸に交差されることで、前記グランド編地部の厚み方向に重複した状態で前記グランド編地部に組み合わされるサブ編地部を備える。前記縦インレイ編目は、前記グランド編地部のウエール方向に並ぶ複数段の編成コースに跨がる長さを有する。前記縦インレイ編目の先端は、前記ベース部からウエール方向に離隔する前記編成コースの編目に編成で固定され、前記先端を除く中間部は、異なる編成コースのシンカーループによって表裏から挟み込まれている。
【発明の効果】
【００１１】
本発明の編地の編成方法によれば、第二編糸を用いて編成されたサブ編地部の縦インレイ編目が、グランド編地部を構成する編成コースのシンカーループの位置に交差されることで組み合わされた本発明の編地を編成することができる。縦インレイ編目は、織物における経糸のような状態でグランド編地部に配置される。このような形態でグランド編地部に第二編糸を組み合わせた編地は今までに無い新規な編地である。この編地において、縦インレイ編目をグランド編地部と異なる色とすることで、織物様の柄を備える編地とすることができる。また、グランド編地部と異なる色の縦インレイ編目をグランド編地部のどの位置に露出させるかによってグランド編地部の表面に形成される柄を無限に変化させることができる。そのため、本発明の編地の編成方法によれば、消費者の多様なニーズに対応した柄を有する編地を編成することができる。
【００１２】
一部の縦インレイ編目の第二編糸を他の縦インレイ編目の第二編糸と異ならせることで、編地の質感や見た目に変化を持たせることができる。例えば一部の縦インレイ編目の色を他の縦インレイ編目の色と異ならせ、より多色の柄をグランド編地部に形成することが挙げられる。
【００１３】
針床の長手方向における縦インレイ編目の位置を変化させながらグランド編地部を編成することで、グランド編地部の編幅方向とウエール方向の両方に交差する斜め方向に延びる縦インレイ編目をグランド編地部に配置することができる。第二編糸の色をグランド編地部の色と異ならせることでグランド編地部に柄を編成する場合、グランド編地部に対して縦インレイ編目を斜め方向に配置することができれば、柄のバリエーションをさらに増やすことができる。
【図面の簡単な説明】
【００１４】
【図１】実施形態の編地の概略ループ図である。
【図２】図１の一点鎖線で囲った部分を拡大した拡大ループ図である。
【図３】実施形態の編地に備わるサブ編地部の編成手順を模式的に示す編成イメージ図である。
【図４】実施形態の編地に備わるグランド編地部の編成手順を模式的に示す編成イメージ図である。
【図５】サブ編地部の編成工程の一例を示す編成工程図である。
【図６】（Ａ）〜（Ｄ）は、編地の写真を示す図である。
【発明を実施するための形態】
【００１５】
実施形態では、前後に対向する前針床（一方の針床）と後針床（他方の針床）を備え、前後の針床間で編目の目移しが可能で、かつ後針床が左右にラッキング可能な２枚ベッド横編機を用いた編成例を説明する。４枚ベッド横編機を用いて同様の編成を行なうこともできる。
【００１６】
＜実施形態１＞
図１に示す編地１００は、第一編糸で編成されたグランド編地部１と、第二編糸で編成されたサブ編地部２と、を備える。サブ編地部２は、グランド編地部１とは別に編み出され、グランド編地部１の厚み方向に重複した状態でグランド編地部１に組み合わされている。編地１００は、ハンカチや敷物のような単層の編地であっても良いし、カバンやニットウェアのような筒状の編地であっても良い。
【００１７】
グランド編地部１は、編出し部１Ｓと、そのウエール方向に連続する複数段の編成コース１Ａ〜１Ｊと、を備える。グランド編地部１の組織は特に限定されず、例えば天竺組織であっても良いし、リブ組織であっても良い。また、グランド編地部１は、複数の第一編糸や第二編糸を用いて編成することもできる。
【００１８】
サブ編地部２は、グランド編地部１とは別の編出し部を含むベース部２０（塗り潰し部分を参照）と、ベース部２０の編目から引き出される複数の縦インレイ編目２１〜２６と、を備える。ベース部２０は、グランド編地部１とは別に編み出され、グランド編地部１の裏側（紙面奥側）に配置されている。ベース部２０の編目はグランド編地部１を構成する編目には接合されていない。
【００１９】
一方、サブ編地部２の縦インレイ編目２１〜２６は、グランド編地部１のウエール方向に並ぶ複数段の編成コース１Ａ〜１Ｊに跨がる長さを有している。縦インレイ編目２１〜２６の長さは特に限定されず、例えば身頃の着丈に相当する長さとすることもできる。本例の縦インレイ編目２１〜２６の先端は、ベース部２０が配置される位置（編成コース１Ａ付近）からウエール方向に離隔する編成コース１Ｊに接合されている。もちろん、縦インレイ編目２１〜２６の先端が接合される位置は、編成コース１Ｊ以外であっても良い。
【００２０】
上記縦インレイ編目２１〜２６の先端を除く中間部は、グランド編地部１における異なる編成コースのシンカーループ（隣接する編目と編目の間を繋ぐ部分）を縫うように配置されている。例えば、図２の拡大ループ図に示す左側の縦インレイ編目２１は、編成コース１Ｅのシンカーループ１Ｅｓの表側に交差した後、編成コース１Ｆのシンカーループ１Ｆｓの裏側に交差し、そして編成コース１Ｇ，１Ｈのシンカーループ１Ｇｓ，１Ｈｓの表側に交差している。つまり、縦インレイ編目２１は、その表側に配置される編成コース１Ｆのシンカーループ１Ｆｓと、裏側に配置される編成コース１Ｅ，１Ｇ，１Ｈのシンカーループ１Ｅｓ，１Ｇｓ，１Ｈｓと、で表裏から挟み込まれている。縦インレイ編目２１のうち、シンカーループ１Ｅｓ，１Ｇｓ，１Ｈｓの表側に交差する部分は、グランド編地部１の表面に露出して当該表面から見えた状態になり、シンカーループ１Ｆｓの裏側に交差する部分は、グランド編地部１の表面から見え難い状態になる。そのため、グランド編地部１の表面に露出する縦インレイ編目２１によって、グランド編地部１の表面に柄を形成することができる。なお、グランド編地部１とサブ編地部２を一つの給糸口から給糸される編糸で編成することもできる。
【００２１】
次に、図１，２に示す編地１００の編成手順を、図３，４の編成イメージ図および図５の編成工程図に基づいて説明する。図中の黒点は、前針床ＦＢ（一方の針床）と後針床ＢＢ（他方の針床）の編針を示す。
【００２２】
まず、図３（Ａ）に示すように、第二編糸を用いてサブ編地部２のベース部２０を編成する（工程Ａ相当）。ベース部２０は、公知の編出し方法で編成した編出し部、あるいはその編出し部のウエール方向に続けて幾つかの編成コースを形成したものである。ベース部２０の編目２ａ〜２ｉは、隣接する編目の間に空針を設けた針抜き編成によって編成され、ＦＢに係止されている。このベース部２０の編目２ａ〜２ｉは、ＢＢに係止されていても構わない。
【００２３】
次いで、ベース部２０の編目から引き出される縦インレイ編目２１〜２６（図１参照）を編成する（工程Ａ相当）。例えば、図３（Ｂ）に示すように、編出し位置（図３（Ａ）の位置）から針床の長手方向の離れた位置にあるＢＢの編針に第二編糸を掛け渡すことで縦インレイ編目２１を編成する。本例では、ベース部２０の編目２ａ，２ｂ，２ｃ，２ｇ，２ｈ，２ｉに対して縦インレイ編目２１〜２６を編成し、残りの編目２ｄ，２ｅ，２ｆは端部処理して針床から外す。その結果、図３（Ｃ）に示すように、縦インレイ編目２１〜２６のみでサブ編地部２がＢＢに係止された状態となる。その際、縦インレイ編目２１〜２６の先端を支点として、振り子のようにベース部２０は紙面左側に移動し、ベース部２０の重みで縦インレイ編目２１〜２６が垂直方向に伸びた状態になる。
【００２４】
縦インレイ編目２１〜２６を編成する際、一部の縦インレイ編目を編成する第二編糸を、他の縦インレイ編目を編成する第二編糸と異ならせても構わない。例えば、縦インレイ編目２１，２３を赤色、縦インレイ編目２２，２５を青色、縦インレイ編目２４，２６を黄色とすることなどが挙げられる。複数の第二編糸を用いる場合、そのうちの一つとして第一編糸を利用しても良い。
【００２５】
ここで、縦インレイ編目２１〜２６の具体的な編成工程の一例を図５に基づいて説明する。図中の大文字アルファベットは編針の位置を、丸マークは編目を、逆三角マークは給糸口を示す。この図５のＳ０には、ＦＢの編針Ｆ，Ｈ，Ｊ，Ｌ，Ｎにそれぞれ、ベース部２０の編目２ａ，２ｂ，２ｃ，２ｄ，２ｅが係止された状態が示されている。この状態から縦インレイ編目２１を編成する例を説明する。
【００２６】
Ｓ１では、給糸口を右方向に移動させ、編目２ａのウエール方向に続く編目２ｊを編成する。続くＳ２では、給糸口を左方向に移動させ、Ｓ１で編成した編目２ｊのウエール方向に続く編目２ｋを編成した後、ＢＢ（ＦＢでも可）の編針Ａに掛け目２ｘを編成する。Ｓ２で掛け目２ｘを編成する位置は、縦インレイ編目２１をどの程度の大きさとするかによって適宜選択することができる。なお、Ｓ１の編目２ｊ、およびＳ２の編目２ｋのいずれかの編成を省略することもできる。
【００２７】
ここで、縦インレイ編目２１の編成方法は特に限定されない。例えば、ＢＢの編針Ａ，Ｃ，Ｅなどに複数の掛け目を形成した後、そのうちの一つの掛け目を残して、残りの掛け目を針床から外すことで縦インレイ編目２１を形成しても良い。また、例えば、一つの編針（ＢＢの編針Ｆなど）で連続してニットを行なうことで縦インレイ編目２１を形成しても良い。一つの編針で連続して編成した編目が自然に解れ、一つの大きな掛け目が形成される。
【００２８】
Ｓ３では、Ｓ２で編成した編目２ｋを、ＦＢの編針Ｈの編目と重ね合わせる。そして、Ｓ４では、給糸口を右方向に移動させ、ＦＢの編針Ｈに形成される重ね目２ｚのウエール方向に続く編目２ｍを編成する。このＳ３，Ｓ４によって、掛け目２ｘからなる縦インレイ編目２１が編成されると共に、縦インレイ編目２１が引き出される編目２ｋが伏目処理（端部処理）される。
【００２９】
Ｓ４に続いてＦＢの編針Ｈの編目２ｍに縦インレイ編目２２（図３（Ｃ）参照）を編成するには、編針Ｈの編目に対してＳ２〜Ｓ４と同様の編成を行なうと良い。本例と異なり、ＦＢの編針Ｈの編目を伏目処理するのであれば、給糸口を左方向に移動させ、ＦＢの編針Ｈに係止される編目２ｍのウエール方向に続く編目を編成し、その編目をＦＢの編針Ｊの編目に重ね合わせ、その重ね目に続く編目を編成すれば良い。
【００３０】
上記Ｓ１〜Ｓ４と異なる手法として、図５を参照する以下に示す手順で縦インレイ編目２１の編成と端部処理を行うこともできる。まず、Ｓ０で編目２ａと編目２ｂとを重ね合わせる。そして、その重ね目に続けて、Ｓ１，Ｓ２，Ｓ４と同様の編成を行う。その結果、縦インレイ編目２１が形成されると共に、編目２ｂが端部処理されて針床から外される。この場合、次の縦インレイ編目は、編目２ｃに形成される。
【００３１】
上記手順などでサブ編地部２を編成し終えたら、図４（Ａ）に示すように、縦インレイ編目２１〜２６が係止されていないＦＢの編針を用いてグランド編地部１の編出し部１Ｓを編成する。このとき、横編機に備わる引下げ装置などを用いてサブ編地部２を歯口下方（紙面下方）に引っ張り、縦インレイ編目２１〜２６がピンと張った状態にしておく。グランド編地部１の編成には、サブ編地部２を編成する第二編糸とは異なる第一編糸を用いる。グランド編地部１の編出し部の編成も特に限定されず、公知の編出し方法を用いることができる。編出し部１Ｓの編目は、隣接する編目間に空針がある針抜き状態でＦＢに係止されている。この空針は、グランド編地部１に縦インレイ編目２１〜２６を組み合わせるときに縦インレイ編目２１〜２６を係止させるために利用される。
【００３２】
編出し部１Ｓを編成したら、図４（Ｂ）に示すように、その編出し部１Ｓに続く複数段の編成コース１Ａ〜１Ｋを編成する（工程Ｂ相当）。各編成コース１Ａ〜１Ｊを編成する際は、グランド編地部１（編成コース１Ａ〜１Ｋ）の編成範囲内で縦インレイ編目２１〜２６をＦＢとＢＢに振り分ける。本例の場合、各編成コース１Ａ〜１Ｊのシンカーループの表側に縦インレイ編目２１〜２６を配置したければ、ＦＢにおけるグランド編地部１の隣接する編目の間にある空針に縦インレイ編目２１〜２６を係止させておく。一方、各編成コース１Ａ〜１Ｊのシンカーループの裏側に縦インレイ編目２１〜２６を配置したければ、縦インレイ編目２１〜２６をＢＢの空針に係止させておく。どの編成コース１Ａ〜１Ｊを編成するときに、どの縦インレイ編目２１〜２６をＦＢに係止させ、どの縦インレイ編目２１〜２６をＢＢに係止させておくかは、グランド編地部１の表面に形成する柄によって適宜選択する。
【００３３】
ここで、縦インレイ編目２１〜２６をＦＢとＢＢに振り分ける際、ＦＢ（ＢＢ）の長手方向における縦インレイ編目２１〜２６の係止位置をグランド編地部１の編成範囲内で変化させても良い。例えば、グランド編地部１の編成コースを増すごとに縦インレイ編目２１〜２６の係止位置を右方向に移動させていけば、紙面右方向に傾斜した縦インレイ編目２１〜２６をグランド編地部１に組み合わせることができる。斜めに伸びる縦インレイ編目２１〜２６を形成する場合も、編成コース１Ａ〜１Ｊのシンカーループの表側に縦インレイ編目２１〜２６を配置するときは、ＦＢにおけるグランド編地部１の隣接する編目の間にある空針に縦インレイ編目２１〜２６を係止させる。
【００３４】
図４（Ｂ）以降は、縦インレイ編目２１〜２６と、編成コース１Ｊの編目と、を重ね合わせ、その重ね目のウエール方向に連続する編成コース１Ｋ（図１参照）を編成する（工程Ｃ相当）。この編成コース１Ｋの編成によって、縦インレイ編目２１〜２６の先端をグランド編地部１に固定することができる。
【００３５】
以上説明した編地の編成方法において、縦インレイ編目２１〜２６がグランド編地１のどの位置で見えるようにするかを調節することで、ジャカード編成によって編成するような複雑な柄を立体的にグランド編地部１に形成することができる。
【００３６】
ここで、ジャカード編成では、編地が厚くなってしまうという問題があるが、本発明の編地の編成方法ではそのような問題は生じない。本発明の編地の編成方法では縦インレイ編目２１〜２６をグランド編地部１のシンカーループの位置に配置しているため、編地を薄く仕上げることができるからである。
【００３７】
＜実施形態２＞
実施形態１の編地の編成方法で縦インレイ編目２１〜２６をグランド編地部１に編み込むことに加えて、グランド編地部１の編成コース１Ａ〜１Ｋの編目にインレイ線材を挟み込むインレイ編成（例えば特許文献１参照）を行なっても良い。例えば編成コース１Ｊにインレイ線材を挟み込む場合、編成コース１Ｊを構成する編目をＦＢとＢＢに振り分け、ＦＢとＢＢの間にインレイ線材を給糸すると良い。
【００３８】
縦インレイ編目２１〜２６に加えて、インレイ線材（以下、横インレイと呼ぶ）をグランド編地部１に配置することで、より一層多様な柄を形成することができる。例えば、縦インレイ編目２１〜２６に交差するように横インレイを配置することで、織物のような柄を形成することができる。
【００３９】
＜実施形態３＞
実施形態１，２では、サブ編地部２を構成する第二編糸を、グランド編地部１を構成する第一編糸とは異なる色の編糸とすることで、グランド編地部１に柄が形成されるようにした編地１００を説明した。これに対して、第二編糸を、第一編糸とは異なる物理特性を有する編糸とすることもできる。例えば、第一編糸よりも伸縮性や張力が高い第二編糸や、熱融着糸を含む第二編糸などを使用することが挙げられる。このような第二編糸を利用することで、グランド編地部１の一部が膨らんだり凹んだりした立体的な編地１００とすることができる。
【００４０】
＜編成例＞
本発明の編地の編成方法を利用して編成した編地の写真を図６（Ａ）〜（Ｄ）に示す。図６（Ａ），（Ｃ），（Ｄ）は、縦インレイ編目と横インレイとを組み合わせて形成した柄を有する編地の写真である。この写真で紙面上下方向に細長くなっている部分が、グランド編地部の表面に露出する縦インレイ編目であり、横方向に細長くなっている部分が横インレイである。また、図６（Ｂ）は、縦インレイ編目をグランド編地部に対して斜めに配置した編地の写真である。この写真で紙面斜め方向に細長く伸びている部分が、グランド編地部の表面に露出する縦インレイ編目である。左に傾斜する縦インレイ編目と右に傾斜する縦インレイ編目が交差する部分では、一方の縦インレイ編目をグランド編地部の表側に、他方の縦インレイ編目をグランド編地部の裏側に配置している。これらの写真に示すように、本発明の編地の編成方法を利用すれば、極めて多様な柄を編地に形成できる。
【符号の説明】
【００４１】
１００  編地
１  グランド編地部
１Ｓ  編出し部  １Ａ〜１Ｋ  編成コース
１Ｅｓ〜１Ｈｓ  シンカーループ
２  サブ編地部
２０  ベース部  ２１〜２６  縦インレイ編目
２ａ〜２ｋ，２ｍ  編目  ２ｘ  掛け目  ２ｚ  重ね目
【図１】
2017020131.tif 000003
【図２】
2017020131.tif 000004
【図３】
2017020131.tif 000005
【図４】
2017020131.tif 000006
【図５】
2017020131.tif 000007
【図６】
2017020131.tif 000008